(57)【要約】光源（５）から出射された光は、偏光ビームスプリッタ（６）の反射膜を反射し、コリメートレンズ（７）およびミラー（８）を経て集光レンズ（９）により、視認情報層（４）を備えた情報媒体（１）に光スポットを形成する。視認情報層（４）によって反射された反射光は、集光レンズ（９）、ミラー（８）およびコリメートレンズ（７）を経由して偏光ビームスプリッタ（６）の反射膜を透過し、ハーフミラー（１４）を経て、第２の光検出器（１３）に入射される。この第２の光検出器（１３）で視認情報層（４）に対するＦＥ信号を検知し、ＬＰＣ回路に帰還することで、面振れに起因するパワー変動を抑制する。【特許請求の範囲】
【請求項１】
情報層を有する情報媒体に対して記録動作および再生動作のうちの少なくとも一方を行なう情報処理装置であって、
前記情報処理装置は、
光源と、
前記光源から出射された光を前記情報媒体の前記情報層に集光する集光レンズと、
前記情報媒体の前記情報層によって反射された反射光を受光し、前記受光された反射光に基づいて検出信号を生成する光検出手段と、
前記検出信号に基づいて前記光源の光出力を制御する制御手段と
を備え、
前記情報媒体は、前記情報層に対向する層として可視識別可能な視認情報を記録することが可能な視認情報層をさらに有しており、
前記制御手段は、前記視認情報を前記情報媒体の前記視認情報層に記録する際にも、前記検出信号に基づいて前記光源の光出力を制御する、情報処理装置。
【請求項２】
前記検出信号は、フォーカスエラー信号であり、前記制御手段は、前記フォーカスエラー信号が制御目標値から離れる程度に応じて前記光源の光出力を制御する、請求項１に記載の情報処理装置。
【請求項３】
前記光源の光出力を検出する光出力モニタ用光検出手段をさらに備え、
前記制御手段は、前記光検出手段から出力される前記検出信号と前記光出力モニタ用光検出手段から出力される更なる検出信号とに基づいて、前記光源の光出力を制御する、請求項１に記載の情報処理装置。
【発明の詳細な説明】
【技術分野】
【０００１】  本発明は、情報媒体の情報層に情報信号に記録し、または、情報媒体の情報層に記録された情報信号を再生すると共に、可視識別可能な視認情報も記録することが可能な情報処理装置に関する。
【背景技術】
【０００２】  情報信号をディジタル信号に変換し記録する技術は、厚さ１．２ｍｍの透明基板の上に色素を主成分とする記録層を備えたいわゆるＣＤ−Ｒと称される光ディスクの普及に始まり、厚さ０．６ｍｍの透明基板を色素または相変化材料の記録層を介在させて貼り合わせたいわゆるＤＶＤ−Ｒ、ＤＶＤ−ＲＷ、ＤＶＤ−ＲＡＭ等と称されるＣＤ−Ｒよりも記録容量が高い光ディスクも普及している。【０００３】  ところで、上述の光ディスクが普及すると、光ディスクに記録した内容に関わるタイトル情報等記録した内容に応じてユーザが簡単に光ディスク同士を識別できる視認情報を光ディスクに備える要望が求められる。また、近年では光ディスクのラベル面に記録できるプリンタも普及してはいるが、光ディスク装置とは別にプリンタを用いる必要がありユーザにコスト負担をかけ、一般的にプリンタはコンピュータの周辺機器として発売されているため、例えばＤＶＤレコーダ等の光ディスク装置で記録した光ディスクにラベル印刷をするためには、コンピュータを立ち上げプリンタにセットすることが要請される問題がある。そこで、ラベル印刷面を備えた光ディスクに直接ラベル記録できる光ディスク装置が要望される。【０００４】  この分野としては、例えば特許文献１が知られている。すなわち、特許文献１には基板の上に色素層、反射層、可視光特性変化層、保護層を積層した光ディスクの内周部にピックアップを移動し、反射層に焦点を合わせ、画像情報信号に基づきレーザを変調駆動することで、画像を可視光特性変化層に記録する旨を開示している。
【特許文献１】特開２００２−２０３３２１号公報（段落番号００１６、図９）
【発明の開示】
【発明が解決しようとする課題】
【０００５】  記録可能な情報層（特許文献１では色素層）を備える情報媒体では、作成時に発生する基板のそりや厚みむらなどにより面方向にうねりを有する。情報媒体をスピンドルモータ等で回転すると、情報媒体のそりやうねり、モーター等の機構系のがたなどにより回転軸方向（情報媒体の法線方向）に振れ（通称面振れと呼ばれる）が発生する。従って通常の情報媒体では、光ビームの合焦点が面振れにより回転軸方向に移動するため、情報層に所定の信号（ピットまたは記録マーク等と称される）が適正に記録できず、面振れ対策に多大な努力を払っている。特許文献１に開示のように、可視光特性変化層に視認情報を記録する際に、面振れが最も少ない内周部分で光ビームの焦点を合わせ、可視光特性変化層に記録を行うと、可視光特性変化層の面振れにより光ビームの合焦点が膜厚方向の所定の位置で留まらずフォーカスずれを引き起こし、可視光特性変化層が可視光特性を充分に変化させることができず、例えば均一な記録濃度が得られずしかも記録濃度が低いという課題がある。【０００６】  本発明は、情報媒体に情報層に記録した情報に係る視認情報を均一にかつ高濃度で視認情報層に記録できる情報処理装置を提供することを目的とする。
【課題を解決するための手段】
【０００７】  上記目的を達成するため本発明の情報処理装置は、情報層を有する情報媒体に対して記録動作および再生動作のうちの少なくとも一方を行なう情報処理装置であって、前記情報処理装置は、光源と、前記光源から出射された光を前記情報媒体の前記情報層に集光する集光レンズと、前記情報媒体の前記情報層によって反射された反射光を受光し、前記受光された反射光に基づいて検出信号を生成する光検出手段と、前記検出信号に基づいて前記光源の光出力を制御する制御手段とを備え、前記情報媒体は、前記情報層に対向する層として可視識別可能な視認情報を記録することが可能な視認情報層をさらに有しており、前記制御手段は、前記視認情報を前記情報媒体の前記視認情報層に記録する際にも、前記検出信号に基づいて前記光源の光出力を制御する。
【発明の効果】
【０００８】  上記構成により、集光レンズが視認情報層に対するフォーカス制御を行わない状態であっても情報媒体が備える面振れの影響を抑制することができ、以て視認情報を視認情報層に記録する際に当該視認情報層に安定した光出力による記録を実現できる。
【図面の簡単な説明】
【０００９】
【図１】図１は本発明の実施の形態の情報処理装置の構成の一例を示す図
【図２】図２はＦＥ信号および発光パワーの時間変化の一例を示す図
【図３】図３は本発明の他の実施の形態の情報処理装置の構成の一例を示す図
【図４】図４は本発明の他の実施の形態の情報処理装置の構成の一例を示す図
【図５Ａ】図５Ａは情報媒体の構成の一例を示す図
【図５Ｂ】図５Ｂは情報媒体の構成の他の例を示す図
【図６Ａ】図６ＡはＦＥ信号の時間変化の一例を示す図
【図６Ｂ】図６Ｂは発光パワーの時間変化の一例を示す図
【符号の説明】
【００１０】  １  情報媒体
２  基板
３  情報層
４  視認情報層
５  光源
６  偏光ビームスプリッタ
７  コリメートレンズ
８  ミラー
９  集光レンズ
１０  パワーモニタ用光検出器
１１  ＬＰＣ回路
１２  第１の光検出器
１３  第２の光検出器
１４  ハーフミラー
１５  光検出器
１６  第２の光源
１７  第２の偏光ビームスプリッタ
１８、１９  基板
２０  情報層
２１  情報媒体
２２  １／４波長板
【発明を実施するための最良の形態】
【００１１】  以下、図面を参照しながら、本発明の実施の形態を説明する。【００１２】  図１は、本発明の実施の形態の情報処理装置の構成の一例を示す。【００１３】  情報処理装置は、情報媒体１に対して記録動作および再生動作のうちの少なくとも一方を行なうように構成されている。【００１４】  情報媒体１は、基板２と、基板２の一方の主面に形成された情報層３と、情報層３の上に積層された視認情報層４とを含む。情報層３は、所望の情報信号の記録および／または再生（以下、録再という）が可能なように構成されている。視認情報層４は、可視識別可能な視認情報を記録することが可能なように構成されている。このように、情報媒体１は、情報層３と、情報層３に対向する層として視認情報層４とを含む。【００１５】  情報処理装置は、光源５と、偏光ビームスプリッタ６と、コリメートレンズ７と、ミラー８と、１／４波長板２２と、集光レンズ９と、パワーモニタ用光検出器１０と、レーザーパワー制御回路１１（以下、ＬＰＣ回路という）と、第１の光検出器１２と、第２の光検出器１３とを含む。【００１６】  なお、図１は、情報媒体１の視認情報層４に視認情報を記録する場合を示している。情報媒体１の情報層３に所望の情報信号を録再する場合には情報媒体１を裏返すようにすればよい。【００１７】  次に、図１に示される各構成要素の働きを説明する。【００１８】  光源５は、光ビームを出射する。光源５から出射された光ビームは、偏光ビームスプリッタ６の反射膜によって反射され、コリメートレンズ７によって平行光にされ、ミラー８によって集光レンズ９の光軸方向に立ち上げられ、集光レンズ９によって情報媒体１に光スポットが形成される。【００１９】  光源５の発光パワーは、コリメートレンズ７によって平行光にされた光ビームの一部をパワーモニタ用光検出器１０で検出し、検出信号をＬＰＣ回路１１に帰還し、適正な駆動電流を光源５に加えることによって決定される。【００２０】  情報媒体１によって反射された反射光は、集光レンズ９、ミラー８およびコリメートレンズ７を経由して、偏光ビームスプリッタ６の反射膜を透過し、ハーフミラー１４を経て、第１の光検出器１２によって受光される。第１の光検出器１２は、受光された反射光に基づいて検出信号（例えば、集光レンズ９のフォーカスエラー信号、トラッキングエラー信号、情報層３に記録するための情報信号）を生成する。【００２１】  また、視認情報を視認情報層４に記録する際は、ＬＰＣ回路１１から視認情報の信号が光源５に出力される。その結果、光源５から光が出射される。光源５から出射された光は、偏光ビームスプリッタ６、コリメートレンズ７、ミラー８および集光レンズ９を介して視認情報層４に集光される。このようにして、視認情報層４に視認情報が記録される。【００２２】  視認情報層４に視認情報を記録する場合には、集光レンズ９で集光された光ビームの集光点が最も高熱であるため、視認情報層４に含有する物質（例えば、感熱発色物質）の変色効率が高い。一方、前述したように情報媒体１を回転手段（図示せず）により回転させると、面振れにより集光点が視認情報層４の膜中であったり視認情報層４の表面から離隔することが通常である。そのため前述したように視認情報の記録濃度が低下したり、記録濃度にむらが生じたりする。ところで、視認情報層４は目視できる視認情報を記録するため、情報層３および基板２を隠蔽する必要があり、情報媒体１に備えるトラックを視認情報層４を通して検知することができない。従って、情報媒体１の半径方向の位置を制御するトラッキングエラー信号を検知することができない。しかしながら、視認情報層４の集光レンズ９側の面（以下、表面と称す）は光ビームを反射するため、この反射光により視認情報層４の放線方向の位置を検出するフォーカスエラー信号（以下、ＦＥ信号と称す）は、ハーフミラー１４で反射光の進行方向を変換することにより、第２の光検出器１３によって検知され得る。【００２３】  図２は、ＦＥ信号の時間変化の一例を示す。【００２４】  視認情報の視認情報層４への記録は、情報信号を情報層３に記録するときと同様に情報媒体１の内周側から始める。前述したように、内周側では回転中心軸との距離が近いため情報層表面のうねりの影響は小さく、そのため面振れが少ないためＦＥ信号振幅は相対的に小さい。しかしうねり自体は内周部分と同程度であっても、外周になるほど面振れが大きくなるため、面振れの影響でＦＥ信号振幅も大きくなる。そこで、ＦＥ信号を第２の光検出器１３で検出し、面振れによって集光点が視認情報層４からのフォーカス方向のずれによる当該視認情報層４に対する発熱効率を推定でき、光検出器１２の検出信号をＬＰＣ回路１１に帰還することで、面振れに応じて光源５に投入する発光パワーを変化させ、光源５の光出力を制御する。【００２５】  このような構成を採ることで、視認情報層４へ光源５からの照射パワーを均一化できるため、視認情報層４上の視認情報の濃度むらおよび濃度低下を抑制でき、記録品質を向上することができる。以上の説明では情報媒体が面振れしている場合を示したが、内周部分と比較し外周部分において一律に反っている（ディスクチルトがある）場合も同様に、図６Ａに示すようにベストフォーカス位置からのずれにより、図６Ｂに示すように光出力を制御することで視認情報層４に対する視認情報の記録品質を向上させることが出来る。なお、図２ではＬＰＣ回路１１でのパワー制御を逐一行う場合を説明したが、視認情報層４に対し視認情報を高品質で記録することができる制御目標値（例えば、所定の閾値）でパワー制御してもよい。【００２６】  次に、図３を参照しながら、本発明の他の実施の形態の情報処理装置を説明する。【００２７】  図３において、図１に示される構成要素と共通する構成要素には同一符号を付し、詳細な説明は割愛する。【００２８】  図１に示される構成と相違する点は、第２の光検出器１３の機能を第１の光検出器１２に含めた光検出器１５を設けた点である。【００２９】  第２の光検出器１３を省略した関係で、ハーフミラー１４も省くことができる。このように本実施形態の構成によると、視認情報層４に対するＦＥ信号を検出する専用の第２の光検出器１３を省略することができる。このことに起因して、部品点数の削減を図ることができ、それによるコストの低減および光学系が簡素化できる。それに加えて、この構成は情報処理装置に専ら適用されている光ピッ���アップの構成そのものであるため、従来の光ピックアップをそのまま流用することができる。なお、図２を用いて説明した構成は本実施形態においても全く同一である。【００３０】  さらに、図４を参照しながら、本発明の別の実施の形態の情報処理装置を説明する。【００３１】  図４において、図１および図３に示される構成要素と共通する構成要素には同一符号を付し、詳細な説明は割愛する。【００３２】  図１および図３に示される構成と相違する点は、光源５に加えて第２の光源１６を追加した点にある。第２の光源１６を追加したため第２の偏光ビームスプリッタ１７も追加されている。【００３３】  光源５および第２の光源１６のそれぞれの発振中心波長は異なっていても同一であってもよく（但し、同一の場合には、例えば偏光ビームスプリッタ６および第２の偏光ビームスプリッタ１７に代えハーフミラーにする等の光学部品の配置、あるいは光源５および第２の光源１６の配置等の若干の変化を要する）、光源５および第２の光源１６のそれぞれから出射される光ビームの集光レンズ９におけるＮＡも同一であっても異なっていてもよい。第２の光源１６から出射される光ビームは第２の偏光ビームスプリッタ１７で光路が分離され、偏光ビームスプリッタ６の反射膜を透過し、コリメートレンズ７およびミラー８を介して集光レンズ９により集光される。【００３４】  情報媒体１によって反射された反射光は、集光レンズ９、ミラー８、コリメートレンズ７、偏光ビームスプリッタ６および第２の偏光ビームスプリッタ１７を透過し、光検出器１５によって受光される。【００３５】  光検出器１５は、受光された反射光に基づいて、トラッキングエラー信号、フォーカスエラー信号および記録信号を選択的に検出する。ただし、例えばＮＡが異なる場合には、図５Ａに示されるように、厚み１．２ｍｍの基板２に情報層３を形成し、当該情報層３に視認情報層４を積層したいわゆるＣＤ型情報媒体１と、図５Ｂに示されるように、厚み０．６ｍｍの基板１８および１９を情報層２０を介して貼り合わせることにより、一方の基板（図では基板１９）に視認情報層４を備えるいわゆるＤＶＤ型情報媒体２１等の異種の情報媒体も録再できる。【００３６】  光源５と第２の光源１６とが同一波長、集光レンズ９のＮＡが光源５および第２の光源１６共に同一の場合には、第２の光源は視認情報層４に視認情報を記録するため光源５を補助する補助光源の機能として適用することができ、例えば視認情報の記録速度の向上、および記録濃度の向上に寄与できる。この場合、光源５と第２の光源１６とを同時発光する構成または交互に発光する構成の何れかを適宜選択して用いることができる。同一発光の構成では発光パワーが高くなるため視認情報の記録濃度の向上効果があり、交互発光の構成では光源５および第２の光源の長寿命化が図れる。なお、集光レンズ９におけるＮＡが光源５と第２の光源１５とで異なる場合であっても、光源５と第２の光源１６の発振波長がそれぞれ異なる場合であっても、同時発光の構成または交互発光の構成による効果は同様である。【００３７】  視認情報層には目視できる視認情報を記録するため、視認情報層に記録した視認情報と当該視認情報層とのコントラストが高いことが望まれる。コントラストを高くするには例えば白色または白色に近い淡色の視認情報層に明度の低い視認情報を記録する、またはその逆の何れかであるが、本発明の情報処理装置は視認情報層で反射した反射光を検出するため、視認情報層としては前者が好ましい。ところで、視認情報層から反射した反射光に基づき制御手段の光出力を制御する手法としては、例えば視認情報層に対向している集光レンズをその光軸方向に上下駆動させ、当該上下駆動によって生じる反射光強度の変化から制御手段に出力する検出信号を検知する等によってできる。上記例のように、強制的に反射光強度を変化させると、面振れによる変化を分離できるため、面振れのみの影響を制御手段に帰還することで、光源の光出力の制御がより確実にできる。なおこの構成は、集光レンズの合焦点が視認情報層上如何によらず、集光レンズを光軸方向に上下駆動させることによって、反射光強度の変化自体は光検出手段で検知することができる。【００３８】  なお、上述の全ての実施形態において、パワーモニタ用光検出器１０の第２の検出信号と、第２の光検出器１３または光検出器１５が検出する検出信号とを併用してＬＰＣ回路１１を介して光源５および／または第２の光源１６の発光出力を制御する構成を採用すると、発光パワー制御の精度がさらに向上し、視認情報の記録安定性が保証できる効果がある。【００３９】  以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００４０】  本発明の情報処理装置は、複数の光源を適宜用いることにより、情報媒体に情報層に記録した情報の内容を目視で視認できる視認情報または情報媒体を目視で識別する画像等を情報媒体に備える視認情報層に記録することができる。
【図１】
2005101382.tif 000002
【図２】
2005101382.tif 000003
【図３】
2005101382.tif 000004
【図４】
2005101382.tif 000005
【図５Ａ】
2005101382.tif 000006
【図５Ｂ】
2005101382.tif 000007
【図６Ａ】
2005101382.tif 000008
【図６Ｂ】
2005101382.tif 000009
【手続補正書】
【提出日】平成18年3月1日(2006.3.1)
【手続補正１】
【補正対象書類名】特許請求の範囲
【補正対象項目名】全文
【補正方法】変更
【補正の内容】
【特許請求の範囲】
【請求項１】
情報層を有する情報媒体に対して記録動作および再生動作のうちの少なくとも一方を行なう情報処理装置であって、
前記情報処理装置は、
光源と、
前記光源から出射された光を前記情報媒体の前記情報層に集光する集光レンズと、
前記情報媒体の前記情報層によって反射された反射光を受光し、前記受光された反射光に基づいて検出信号を生成する光検出手段と、
前記検出信号に基づいて前記光源の光出力を制御する制御手段と
を備え、
前記情報媒体は、前記情報層に対向する層として可視識別可能な視認情報を記録することが可能な視認情報層をさらに有しており、
前記制御手段は、前記視認情報を前記情報媒体の前記視認情報層に記録する際にも、前記検出信号に基づいて前記光源の光出力を制御する、情報処理装置。
【請求項２】
前記検出信号は、フォーカスエラー信号であり、前記制御手段は、前記フォーカスエラー信号が制御目標値から離れる程度に応じて前記光源の光出力を制御する、請求項１に記載の情報処理装置。
【請求項３】
前記光源の光出力を検出する光出力モニタ用光検出手段をさらに備え、
前記制御手段は、前記光検出手段から出力される前記検出信号と前記光出力モニタ用光検出手段から出力される更なる検出信号とに基づいて、前記光源の光出力を制御する、請求項１に記載の情報処理装置。
【手続補正２】
【補正対象書類名】明細書
【補正対象項目名】全文
【補正方法】変更
【補正の内容】
【発明の詳細な説明】
【技術分野】
【０００１】
本発明は、情報媒体の情報層に情報信号に記録し、または、情報媒体の情報層に記録された情報信号を再生すると共に、可視識別可能な視認情報も記録することが可能な情報処理装置に関する。
【背景技術】
【０００２】
情報信号をディジタル信号に変換し記録する技術は、厚さ１．２ｍｍの透明基板の上に色素を主成分とする記録層を備えたいわゆるＣＤ−Ｒと称される光ディスクの普及に始まり、厚さ０．６ｍｍの透明基板を色素または相変化材料の記録層を介在させて貼り合わせたいわゆるＤＶＤ−Ｒ、ＤＶＤ−ＲＷ、ＤＶＤ−ＲＡＭ等と称されるＣＤ−Ｒよりも記録容量が高い光ディスクも普及している。
【０００３】
ところで、上述の光ディスクが普及すると、光ディスクに記録した内容に関わるタイトル情報等記録した内容に応じてユーザが簡単に光ディスク同士を識別できる視認情報を光ディスクに備える要望が求められる。また、近年では光ディスクのラベル面に記録できるプリンタも普及してはいるが、光ディスク装置とは別にプリンタを用いる必要がありユーザにコスト負担をかけ、一般的にプリンタはコンピュータの周辺機器として発売されているため、例えばＤＶＤレコーダ等の光ディスク装置で記録した光ディスクにラベル印刷をするためには、コンピュータを立ち上げプリンタにセットすることが要請される問題がある。そこで、ラベル印刷面を備えた光ディスクに直接ラベル記録できる光ディスク装置が要望される。
【０００４】
この分野としては、例えば特許文献１が知られている。すなわち、特許文献１には基板の上に色素層、反射層、可視光特性変化層、保護層を積層した光ディスクの内周部にピックアップを移動し、反射層に焦点を合わせ、画像情報信号に基づきレーザを変調駆動することで、画像を可視光特性変化層に記録する旨を開示している。
【特許文献１】特開２００２−２０３３２１号公報（段落番号００１６、図９）
【発明の開示】
【発明が解決しようとする課題】
【０００５】
記録可能な情報層（特許文献１では色素層）を備える情報媒体では、作成時に発生する基板のそりや厚みむらなどにより面方向にうねりを有する。情報媒体をスピンドルモータ等で回転すると、情報媒体のそりやうねり、モーター等の機構系のがたなどにより回転軸方向（情報媒体の法線方向）に振れ（通称面振れと呼ばれる）が発生する。従って通常の情報媒体では、光ビームの合焦点が面振れにより回転軸方向に移動するため、情報層に所定の信号（ピットまたは記録マーク等と称される）が適正に記録できず、面振れ対策に多大な努力を払っている。特許文献１に開示のように、可視光特性変化層に視認情報を記録する際に、面振れが最も少ない内周部分で光ビームの焦点を合わせ、可視光特性変化層に記録を行うと、可視光特性変化層の面振れにより光ビームの合焦点が膜厚方向の所定の位置で留まらずフォーカスずれを引き起こし、可視光特性変化層が可視光特性を充分に変化させることができず、例えば均一な記録濃度が得られずしかも記録濃度が低いという課題がある。
【０００６】
本発明は、情報媒体に情報層に記録した情報に係る視認情報を均一にかつ高濃度で視認情報層に記録できる情報処理装置を提供することを目的とする。
【課題を解決するための手段】
【０００７】
上記目的を達成するため本発明の情報処理装置は、情報層を有する情報媒体に対して記録動作および再生動作のうちの少なくとも一方を行なう情報処理装置であって、前記情報処理装置は、光源と、前記光源から出射された光を前記情報媒体の前記情報層に集光する集光レンズと、前記情報媒体の前記情報層によって反射された反射光を受光し、前記受光された反射光に基づいて検出信号を生成する光検出手段と、前記検出信号に基づいて前記光源の光出力を制御する制御手段とを備え、前記情報媒体は、前記情報層に対向する層として可視識別可能な視認情報を記録することが可能な視認情報層をさらに有しており、前記制御手段は、前記視認情報を前記情報媒体の前記視認情報層に記録する際にも、前記検出信号に基づいて前記光源の光出力を制御する。
【発明の効果】
【０００８】
上記構成により、集光レンズが視認情報層に対するフォーカス制御を行わない状態であっても情報媒体が備える面振れの影響を抑制することができ、以て視認情報を視認情報層に記録する際に当該視認情報層に安定した光出力による記録を実現できる。
【発明を実施するための最良の形態】
【０００９】
以下、図面を参照しながら、本発明の実施の形態を説明する。
【００１０】
図１は、本発明の実施の形態の情報処理装置の構成の一例を示す。
【００１１】
情報処理装置は、情報媒体１に対して記録動作および再生動作のうちの少なくとも一方を行なうように構成されている。
【００１２】
情報媒体１は、基板２と、基板２の一方の主面に形成された情報層３と、情報層３の上に積層された視認情報層４とを含む。情報層３は、所望の情報信号の記録および／または再生（以下、録再という）が可能なように構成されている。視認情報層４は、可視識別可能な視認情報を記録することが可能なように構成されている。このように、情報媒体１は、情報層３と、情報層３に対向する層として視認情報層４とを含む。
【００１３】
情報処理装置は、光源５と、偏光ビームスプリッタ６と、コリメートレンズ７と、ミラー８と、１／４波長板２２と、集光レンズ９と、パワーモニタ用光検出器１０と、レーザーパワー制御回路１１（以下、ＬＰＣ回路という）と、第１の光検出器１２と、第２の光検出器１３とを含む。
【００１４】
なお、図１は、情報媒体１の視認情報層４に視認情報を記録する場合を示している。情報媒体１の情報層３に所望の情報信号を録再する場合には情報媒体１を裏返すようにすればよい。
【００１５】
次に、図１に示される各構成要素の働きを説明する。
【００１６】
光源５は、光ビームを出射する。光源５から出射された光ビームは、偏光ビームスプリッタ６の反射膜によって反射され、コリメートレンズ７によって平行光にされ、ミラー８によって集光レンズ９の光軸方向に立ち上げられ、集光レンズ９によって情報媒体１に光スポットが形成される。
【００１７】
光源５の発光パワーは、コリメートレンズ７によって平行光にされた光ビームの一部をパワーモニタ用光検出器１０で検出し、検出信号をＬＰＣ回路１１に帰還し、適正な駆動電流を光源５に加えることによって決定される。
【００１８】
情報媒体１によって反射された反射光は、集光レンズ９、ミラー８およびコリメートレ
ンズ７を経由して、偏光ビームスプリッタ６の反射膜を透過し、ハーフミラー１４を経て、第１の光検出器１２によって受光される。第１の光検出器１２は、受光された反射光に基づいて検出信号（例えば、集光レンズ９のフォーカスエラー信号、トラッキングエラー信号、情報層３に記録するための情報信号）を生成する。
【００１９】
また、視認情報を視認情報層４に記録する際は、ＬＰＣ回路１１から視認情報の信号が光源５に出力される。その結果、光源５から光が出射される。光源５から出射された光は、偏光ビームスプリッタ６、コリメートレンズ７、ミラー８および集光レンズ９を介して視認情報層４に集光される。このようにして、視認情報層４に視認情報が記録される。
【００２０】
視認情報層４に視認情報を記録する場合には、集光レンズ９で集光された光ビームの集光点が最も高熱であるため、視認情報層４に含有する物質（例えば、感熱発色物質）の変色効率が高い。一方、前述したように情報媒体１を回転手段（図示せず）により回転させると、面振れにより集光点が視認情報層４の膜中であったり視認情報層４の表面から離隔することが通常である。そのため前述したように視認情報の記録濃度が低下したり、記録濃度にむらが生じたりする。ところで、視認情報層４は目視できる視認情報を記録するため、情報層３および基板２を隠蔽する必要があり、情報媒体１に備えるトラックを視認情報層４を通して検知することができない。従って、情報媒体１の半径方向の位置を制御するトラッキングエラー信号を検知することができない。しかしながら、視認情報層４の集光レンズ９側の面（以下、表面と称す）は光ビームを反射するため、この反射光により視認情報層４の放線方向の位置を検出するフォーカスエラー信号（以下、ＦＥ信号と称す）は、ハーフミラー１４で反射光の進行方向を変換することにより、第２の光検出器１３によって検知され得る。
【００２１】
図２は、ＦＥ信号の時間変化の一例を示す。
【００２２】
視認情報の視認情報層４への記録は、情報信号を情報層３に記録するときと同様に情報媒体１の内周側から始める。前述したように、内周側では回転中心軸との距離が近いため情報層表面のうねりの影響は小さく、そのため面振れが少ないためＦＥ信号振幅は相対的に小さい。しかしうねり自体は内周部分と同程度であっても、外周になるほど面振れが大きくなるため、面振れの影響でＦＥ信号振幅も大きくなる。そこで、ＦＥ信号を第２の光検出器１３で検出し、面振れによって集光点が視認情報層４からのフォーカス方向のずれによる当該視認情報層４に対する発熱効率を推定でき、光検出器１２の検出信号をＬＰＣ回路１１に帰還することで、面振れに応じて光源５に投入する発光パワーを変化させ、光源５の光出力を制御する。
【００２３】
このような構成を採ることで、視認情報層４へ光源５からの照射パワーを均一化できるため、視認情報層４上の視認情報の濃度むらおよび濃度低下を抑制でき、記録品質を向上することができる。以上の説明では情報媒体が面振れしている場合を示したが、内周部分と比較し外周部分において一律に反っている（ディスクチルトがある）場合も同様に、図６Ａに示すようにベストフォーカス位置からのずれにより、図６Ｂに示すように光出力を制御することで視認情報層４に対する視認情報の記録品質を向上させることが出来る。なお、図２ではＬＰＣ回路１１でのパワー制御を逐一行う場合を説明したが、視認情報層４に対し視認情報を高品質で記録することができる制御目標値（例えば、所定の閾値）でパワー制御してもよい。
【００２４】
次に、図３を参照しながら、本発明の他の実施の形態の情報処理装置を説明する。
【００２５】
図３において、図１に示される構成要素と共通する構成要素には同一符号を付し、詳細な説明は割愛する。
【００２６】
図１に示される構成と相違する点は、第２の光検出器１３の機能を第１の光検出器１２に含めた光検出器１５を設けた点である。
【００２７】
第２の光検出器１３を省略した関係で、ハーフミラー１４も省くことができる。このように本実施形態の構成によると、視認情報層４に対するＦＥ信号を検出する専用の第２の光検出器１３を省略することができる。このことに起因して、部品点数の削減を図ることができ、それによるコストの低減および光学系が簡素化できる。それに加えて、この構成は情報処理装置に専ら適用されている光ピックアップの構成そのものであるため、従来の光ピックアップをそのまま流用することができる。なお、図２を用いて説明した構成は本実施形態においても全く同一である。
【００２８】
さらに、図４を参照しながら、本発明の別の実施の形態の情報処理装置を説明する。
【００２９】
図４において、図１および図３に示される構成要素と共通する構成要素には同一符号を付し、詳細な説明は割愛する。
【００３０】
図１および図３に示される構成と相違する点は、光源５に加えて第２の光源１６を追加した点にある。第２の光源１６を追加したため第２の偏光ビームスプリッタ１７も追加されている。
【００３１】
光源５および第２の光源１６のそれぞれの発振中心波長は異なっていても同一であってもよく（但し、同一の場合には、例えば偏光ビームスプリッタ６および第２の偏光ビームスプリッタ１７に代えハーフミラーにする等の光学部品の配置、あるいは光源５および第２の光源１６の配置等の若干の変化を要する）、光源５および第２の光源１６のそれぞれから出射される光ビームの集光レンズ９におけるＮＡも同一であっても異なっていてもよい。第２の光源１６から出射される光ビームは第２の偏光ビームスプリッタ１７で光路が分離され、偏光ビームスプリッタ６の反射膜を透過し、コリメートレンズ７およびミラー８を介して集光レンズ９により集光される。
【００３２】
情報媒体１によって反射された反射光は、集光レンズ９、ミラー８、コリメートレンズ７、偏光ビームスプリッタ６および第２の偏光ビームスプリッタ１７を透過し、光検出器１５によって受光される。
【００３３】
光検出器１５は、受光された反射光に基づいて、トラッキングエラー信号、フォーカスエラー信号および記録信号を選択的に検出する。ただし、例えばＮＡが異なる場合には、図５Ａに示されるように、厚み１．２ｍｍの基板２に情報層３を形成し、当該情報層３に視認情報層４を積層したいわゆるＣＤ型情報媒体１と、図５Ｂに示されるように、厚み０．６ｍｍの基板１８および１９を情報層２０を介して貼り合わせることにより、一方の基板（図では基板１９）に視認情報層４を備えるいわゆるＤＶＤ型情報媒体２１等の異種の情報媒体も録再できる。
【００３４】
光源５と第２の光源１６とが同一波長、集光レンズ９のＮＡが光源５および第２の光源１６共に同一の場合には、第２の光源は視認情報層４に視認情報を記録するため光源５を補助する補助光源の機能として適用することができ、例えば視認情報の記録速度の向上、および記録濃度の向上に寄与できる。この場合、光源５と第２の光源１６とを同時発光する構成または交互に発光する構成の何れかを適宜選択して用いることができる。同一発光の構成では発光パワーが高くなるため視認情報の記録濃度の向上効果があり、交互発光の構成では光源５および第２の光源の長寿命化が図れる。なお、集光レンズ９におけるＮＡが光源５と第２の光源１５とで異なる場合であっても、光源５と第２の光源１６の発振波
長がそれぞれ異なる場合であっても、同時発光の構成または交互発光の構成による効果は同様である。
【００３５】
視認情報層には目視できる視認情報を記録するため、視認情報層に記録した視認情報と当該視認情報層とのコントラストが高いことが望まれる。コントラストを高くするには例えば白色または白色に近い淡色の視認情報層に明度の低い視認情報を記録する、またはその逆の何れかであるが、本発明の情報処理装置は視認情報層で反射した反射光を検出するため、視認情報層としては前者が好ましい。ところで、視認情報層から反射した反射光に基づき制御手段の光出力を制御する手法としては、例えば視認情報層に対向している集光レンズをその光軸方向に上下駆動させ、当該上下駆動によって生じる反射光強度の変化から制御手段に出力する検出信号を検知する等によってできる。上記例のように、強制的に反射光強度を変化させると、面振れによる変化を分離できるため、面振れのみの影響を制御手段に帰還することで、光源の光出力の制御がより確実にできる。なおこの構成は、集光レンズの合焦点が視認情報層上如何によらず、集光レンズを光軸方向に上下駆動させることによって、反射光強度の変化自体は光検出手段で検知することができる。
【００３６】
なお、上述の全ての実施形態において、パワーモニタ用光検出器１０の第２の検出信号と、第２の光検出器１３または光検出器１５が検出する検出信号とを併用してＬＰＣ回路１１を介して光源５および／または第２の光源１６の発光出力を制御する構成を採用すると、発光パワー制御の精度がさらに向上し、視認情報の記録安定性が保証できる効果がある。
【００３７】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００３８】
本発明の情報処理装置は、複数の光源を適宜用いることにより、情報媒体に情報層に記録した情報の内容を目視で視認できる視認情報または情報媒体を目視で識別する画像等を情報媒体に備える視認情報層に記録することができる。
【図面の簡単な説明】
【００３９】
【図１】図１は本発明の実施の形態の情報処理装置の構成の一例を示す図
【図２】図２はＦＥ信号および発光パワーの時間変化の一例を示す図
【図３】図３は本発明の他の実施の形態の情報処理装置の構成の一例を示す図
【図４】図４は本発明の他の実施の形態の情報処理装置の構成の一例を示す図
【図５Ａ】図５Ａは情報媒体の構成の一例を示す図
【図５Ｂ】図５Ｂは情報媒体の構成の他の例を示す図
【図６Ａ】図６ＡはＦＥ信号の時間変化の一例を示す図
【図６Ｂ】図６Ｂは発光パワーの時間変化の一例を示す図
【符号の説明】
【００４０】
１  情報媒体
２  基板
３  情報層
４  視認情報層
５  光源
６  偏光ビームスプリッタ
７  コリメートレンズ
８  ミラー
９  集光レンズ
１０  パワーモニタ用光検出器
１１  ＬＰＣ回路
１２  第１の光検出器
１３  第２の光検出器
１４  ハーフミラー
１５  光検出器
１６  第２の光源
１７  第２の偏光ビームスプリッタ
１８、１９  基板
２０  情報層
２１  情報媒体
２２  １／４波長板
【手続補正３】
【補正対象書類名】図面
【補正対象項目名】全図
【補正方法】変更
【補正の内容】
【図１】
2005101382.tif 000010
【図２】
2005101382.tif 000011
【図３】
2005101382.tif 000012
【図４】
2005101382.tif 000013
【図５Ａ】
2005101382.tif 000014
【図５Ｂ】
2005101382.tif 000015
【図６Ａ】
2005101382.tif 000016
【図６Ｂ】
2005101382.tif 000017
【国際調査報告】
2005101382.tif 000018
2005101382.tif 000019
2005101382.tif 000020
2005101382.tif 000021